(57)【要約】【課題】取り外し可能な弁座を有する弁の提供。【解決手段】弁は、入口および出口を画定する筐体と、弁座を受容するそれらの間の空洞とを有する。弁座は、ゲートを受容するスロットを画定する。弁座は、筐体と密封係合され、ゲートは、弁座に密封係合し、アクチュエータを使用して、開放位置と閉鎖位置との間でスロット内を移動可能である。筐体内の開口部が、空洞へのアクセスを提供する。弁座は、弁座をゲートに取着することによって、開口部を通して筐体から取り外され、それによって、弁座をアクチュエータに取着し、アクチュエータを使用して、ゲートを筐体から抜去してもよい。【選択図】図１
2020094696.tif 000002
【特許請求の範囲】
【請求項１】
装置またはシステムまたは方法。
【発明の詳細な説明】
【技術分野】
【０００１】
（関連出願への相互参照）
本出願は、２０１３年５月７日に出願された米国仮出願第６１／８２０，２０２号、および２０１４年１月１０日に出願された米国仮出願第６１／９２５，７２４号に基づき、それらに対して優先権を主張する。上記文献の両方は、ここで参照することによって本明細書において援用される。
【０００２】
（発明の分野）
本発明は、高摩耗環境において使用される弁に関する。
【背景技術】
【０００３】
（背景）
油圧油取扱弁用途では、例えば、水、種々の化学物質、ならびに一般的にスラリーと呼ばれる高粘度の研磨流体を含む、検討される多くの異なる流体媒体が存在する。スラリーは、固形成分含有量ならびに粒径の異なるレベルを有することができる。スラリーは、典型的な油圧油を上回る固形成分含有量のレベルを有するため、スラリーを移送するシステムにおけるパイプおよび弁の摩耗率の増加等の一意の動作上の困難性を提示する。
【０００４】
スラリーによってもたらされる構成要素の摩耗率の増加のために、スラリーを移送するシステムが、シール、弁座、および摩耗に曝される他の構成要素等の摩耗部品の交換のために、既定の保守スケジュールを有することは、典型的である。そのような保守は、通常、影響を受ける油圧ラインの遮断を要求し、生産の損失をもたらす。
【０００５】
スラリー用途で使用される典型的な弁は、流体の固形成分含有量の増加および構成要素の結果として生じるより大きい摩耗のために具体的に設計される、ピンチおよびナイフゲート弁である。これらのタイプの弁を点検するために、弁全体または弁に取着されるパイプの有意な区分のいずれかを取り外すことが必要であり、生産ラインの中断時間の増加と、関連付けられた収入の損失とをもたらす。
【０００６】
生産中断時間および収入の随伴損失を低下させるために、より高速かつ効率的な様式で点検され得る弁等の構成要素が、明確に必要である。
【発明の概要】
【課題を解決するための手段】
【０００７】
（要約）
本発明は、弁に関する。一例示的実施形態では、弁は、入口および出口を有する筐体を備える。空洞が、筐体内に、入口と出口との間に位置付けられる。第１の筐体内の開口部が、空洞へのアクセスを提供する。弁座が、空洞内に位置付けられ、筐体に密封係合する。弁座は、第１の開口部を通して、空洞の中に挿入可能であり、そこから取り外し可能である。弁閉鎖部材が、弁座内に搭載され、開放位置と、弁座に密封係合する閉鎖位置との間でそれに対して相対的に移動可能である。第１のアクチュエータが、筐体上に搭載され、第１の開口部を通して空洞から弁座および弁閉鎖部材を取り外すために、弁座と係合可能である。
【０００８】
別の実施例では、弁はさらに、筐体上に搭載される第２のアクチュエータを備えてもよい。第２のアクチュエータは、開放位置と閉鎖位置との間で弁閉鎖部材を移動させるために、弁閉鎖部材と係合される。特定の実施例では、弁閉鎖部材は、弁座内に回転可能に搭載された本体を備え、本体は、開放位置と閉鎖位置との間で回転可能に移動可能である。実施例として、本実施形態における弁閉鎖部材は、円板を備える。
【０００９】
さらなる例示的実施形態では、第１のアクチュエータは、開放位置と閉鎖位置との間で弁閉鎖部材を移動させるために、弁座から分離して弁閉鎖部材と係合可能である。特定の実施例では、弁閉鎖部材は、弁座内に摺動可能に搭載されるゲートを備え、ゲートは、開放位置と閉鎖位置との間で摺動可能に移動可能である。さらなる実施例として、ゲートは、第１のアクチュエータに枢動可能に取着される、または第１のアクチュエータに摺動自在に取着されてもよい。
【００１０】
実施例として、空洞は、筐体内に位置付けられる第１の壁および第２の壁によって画定され、第１の壁および第２の壁は、入口から出口まで延在する流動軸に対して横方向に配向されてもよい。第１の壁および第２の壁は、相互に対して離間関係であり、各壁は、弁座に向かって対面し、かつそれと密封係合される表面を有する。さらなる実施形態では、弁座は、相互に対して対面関係に位置付けられ、それらの間にスロットを画定する、第１の密封表面および第２の密封表面を備える。弁閉鎖部材は、開放位置と閉鎖位置との間でスロット内を摺動可能に移動可能であるゲートを備えてもよい。本実施例におけるゲートは、流動軸に対して横方向に配向され、それぞれ、弁座の第１の密封表面および第２の密封表面に密封係合する、第１の対向配置表面および第２の対向配置表面を有する。
【００１１】
実施例として、弁はさらに、弁座をゲートに保定するために、ゲートに取着可能であるストラップを備え、それによって、弁座をアクチュエータに取着し、空洞からのその取り外しを促進してもよい。ある例示的実施形態では、第１のアクチュエータは、ねじジャッキを備える。
【００１２】
特定の例示的実施形態では、筐体は、第１の開口部を画定する第１の区画と、第１の区画に取着される第２の区画とを備える。第１の区画および第２の区画は、端部間で相互に取着され、入口および出口と、それらの間に延在する流動軸とを画定する。加えて、実施例として、第１の区画および第２の区画のそれぞれは、第１の区画および第２の区画のそれぞれそれらの対向端部から外向きに突出する第１のつまみおよび第２のつまみを備える。つまみは、それぞれ、相互に区画を取着するための留め具を受容するための少なくとも１つの孔を有する。
【００１３】
さらなる例示的実施形態では、第１の区画および第２の区画のそれぞれは、区画の対向側に位置付けられる、第１の弓状突出部および第２の弓状突出部を備える。第１の弓状突出部および第２の弓状突出部は、流動軸を囲繞し、そこに向かって半径方向に延在する。
【００１４】
さらに、実施例として、第１の区画および第２の区画のそれぞれは、区画の対向側に位置付けられる、第１の溝および第２の溝を備え、溝のそれぞれは、流動軸に対面する。第１のガスケットおよび第２のガスケットは、それぞれ、第１の溝および第２の溝内に位置付けられる。一例示的実施形態では、第１の溝および第２の溝は、第１の区画および第２の区画の第１のつまみおよび第２のつまみの界面表面にわたって延在する。第１のガスケットおよび第２のガスケットはまた、つまみ内において第１の溝および第２の溝に沿って延在する。
【００１５】
ある例示的実施形態では、入口は、内径を有し、弁座は、入口の内径を下回る内径を有する開口を画定し、それによって、入口に対面する密封表面を画定する。密封表面は、入口に向かって延在する少なくとも１つの突出部を備えてもよい。さらに、実施例として、出口は、内径を有してもよく、弁座は、出口の内径を下回る内径を有する開口を画定し、それによって、出口に対面する密封表面を画定してもよい。例示的実施形態では、密封表面は、出口に向かって延在する少なくとも１つの突出部を備える。
【００１６】
実施例として、弁はさらに、空洞へのアクセスを提供する、第２の筐体内の開口部を備えてもよい。特定の例示的実施形態では、第２の開口部は、第１の開口部に対向して位置付けられる。
【００１７】
別の実施例はさらに、弁座に取着可能である密封体を備える。密封体は、第１の開口部を通して弁座の取り外しに応じて、第２の開口部を通して空洞の中で移動可能である。ある例示的実施形態では、密封体は、相互から対向配置され、筐体と密封係合可能である、第１の密封表面および第２の密封表面を備える。別の例示的実施形態では、密封体は、相互に取り外し可能に取着可能である複数の部分を備える。例えば、密封体は、長方形ブロックを備えてもよい。
【００１８】
さらなる実施例として、弁座は、相互に取着可能である複数の独立片部を備えてもよい。付加的実施例はさらに、筐体上に搭載される枢動ヒンジを備えてもよい。本実施例では、第１のアクチュエータは、枢動ヒンジ上に搭載され、筐体に対して相対的にその上で枢動可能に移動可能である。
【００１９】
別の例示的実施形態では、弁が、入口および出口を有する筐体を備える。筐体は、第１の区画および第２の区画を備える。第１の区画および第２の区画は、端部間で相互に取着され、入口および出口と、それらの間に延在する流動軸とを画定する。空洞が、筐体内に、入口と出口との間に位置付けられる。第１の開口部が、第１の区画内に位置付けられ、第２の開口部が、第２の区画内に位置付けられる。第１の開口部および第２の開口部は、空洞へのアクセスを提供する。弁座が、空洞内に位置付けられ、筐体に密封係合する。弁座は、第１の開口部および第２の開口部のうちの１つを通して、空洞の中に挿入可能であり、そこから取り外し可能である。弁閉鎖部材が、弁座内に搭載され、開放位置と、弁座に密封係合する閉鎖位置との間でそれに対して相対的に移動可能である。第１のアクチュエータが、筐体上に搭載され、第１の開口部および第２の開口部のうちの１つを通して、弁座および弁閉鎖部材を空洞の中に挿入し、それらを空洞から取り外すために、弁座と係合可能である。
【００２０】
特定の実施例では、第１の区画および第２の区画のそれぞれは、それらの対向端部から外向きに突出する第１のつまみおよび第２のつまみを備え、つまみは、それぞれ、相互に区画を取着するための留め具を受容するための少なくとも１つの孔を有する。さらに、実施例として、第１の区画および第２の区画のそれぞれは、区画の対向側に位置付けられる、第１の弓状突出部および第２の弓状突出部を備える。第１の弓状突出部および第２の弓状突出部は、流動軸を囲繞し、そこに向かって半径方向に延在する。
【００２１】
ある例示的実施形態では、第１の区画および第２の区画のそれぞれは、区画の対向側に位置付けられる、第１の溝および第２の溝を備える。本実施例では、溝のそれぞれは、流動軸に対面する。第１のガスケットおよび第２のガスケットは、それぞれ、第１の溝および第２の溝内に位置付けられる。特定の実施例では、第２の開口部は、第１の開口部に対向して位置付けられる。実施例として、ゲートは、第１のアクチュエータに枢動可能に取着されてもよい。別の例示的実施形態はさらに、筐体上に搭載される第２のアクチュエータを備える。第２のアクチュエータは、開放位置と閉鎖位置との間で弁閉鎖部材を移動させるために、弁閉鎖部材と係合される。実施例として、弁閉鎖部材は、弁座内に回転可能に搭載された本体を備え、本体は、開放位置と閉鎖位置との間で回転可能に移動可能である。特定の実施例では、弁閉鎖部材は、円板を備える。
【００２２】
ある例示的実施形態では、第１のアクチュエータは、開放位置と閉鎖位置との間で弁閉鎖部材を移動させるために、弁座から分離して弁閉鎖部材と係合可能である。実施例として、弁閉鎖部材は、弁座内に摺動可能に搭載されるゲートを備える。ゲートは、開放位置と閉鎖位置との間で摺動可能に移動可能である。
【００２３】
例示的実施形態はさらに、弁座に取着可能である密封体を備える。密封体は、第１の開口部を通して弁座の取り外しに応じて、第２の開口部を通して空洞の中で移動可能である。特定の実施例では、密封体は、相互から対向配置され、筐体と密封係合可能である、第１の密封表面および第２の密封表面を備える。さらなる実施例では、密封体は、相互に取り外し可能に取着可能である複数の部分を備える。実施例として、密封体は、長方形ブロックを備えてもよい。
【００２４】
別の例示的実施形態では、弁座は、相互に取着可能である複数の独立片部を備える。
【００２５】
実施例として、枢動ヒンジが、筐体上に搭載される。第１のアクチュエータは、枢動ヒンジ上に搭載され、筐体に対して相対的にその上で枢動可能に移動可能である。弁の別の例示的実施形態は、入口および出口を有する筐体を備える。筐体は、第１の区画および第２の区画を備える。第１の区画および第２の区画は、端部間で相互に取着され、入口および出口と、それらの間に延在する流動軸とを画定する。本実施例では、空洞が、筐体内に、入口と出口との間に位置付けられる。第１の開口部が、第１の区画内に位置付けられ、空洞へのアクセスを提供する。弁座が、空洞内に位置付けられ、筐体に密封係合する。弁座は、第１の区画内に位置付けられる第１の片部と、第２の区画内に位置付けられる第２の片部とを備える。弁座の第１の片部は、第１の開口部を通して、空洞の中に挿入可能であり、そこから取り外し可能である。弁閉鎖部材が、弁座内に搭載され、開放位置と、弁座に密封係合する閉鎖位置との間でそれに対して相対的に移動可能である。第１のアクチュエータが、筐体上に搭載され、第１の開口部を通して、弁座の第１の片部および弁閉鎖部材を空洞の中に挿入し、それらを空洞から取り外すために、弁座の第１の片部と係合可能である。
【００２６】
一例示的実施形態では、空洞は、筐体内に位置付けられる第１の壁および第２の壁によって画定され、第１の壁および第２の壁は、入口から出口まで延在する流動軸に対して横方向に配向される。第１の壁および第２の壁は、相互に対して離間関係である。各壁は、弁座に向かって対面し、かつそれと密封係合される表面を有する。
【００２７】
ある実施例では、弁座の第１の片部は、相互に対して対面関係に位置付けられ、それらの間にスロットを画定する、第１の密封表面および第２の密封表面を備える。ある例示的実施形態では、弁閉鎖部材は、開放位置と閉鎖位置との間でスロット内を摺動可能に移動可能であるゲートを備える。ゲートは、流動軸に対して横方向に配向され、それぞれ、弁座の第１の片部の第１の密封表面および第２の密封表面に密封係合する、第１の対向配置表面および第２の対向配置表面を有する。
【００２８】
例示的実施形態はさらに、該弁座を該ゲートに保定するために、該ゲートに取着可能であるストラップを備え、それによって、弁座をアクチュエータに取着し、空洞からのその取り外しを促進し得る。
【００２９】
本発明はまた、弁座を弁から取り外す方法を包含する。弁は、弁座に係合する閉鎖部材を有する。アクチュエータが、弁閉鎖部材に係合する。例示的方法は、
弁座を弁閉鎖部材に取着することと、
弁閉鎖部材に係合するアクチュエータを使用して、弁座と弁閉鎖部材との両方を弁から引っ張ることと
を含む。
弁座を交換する方法もまた、想定される。弁は、弁座と係合可能である閉鎖部材と、弁閉鎖部材に係合するアクチュエータとを有する。例示的方法は、
弁座を閉鎖部材と係合させることと、
弁閉鎖部材に係合するアクチュエータを使用して、弁座と弁閉鎖部材との両方を弁の中に移動させることと
を含む。
本発明はさらに、閉塞体を使用して、弁内の弁座を交換する方法を包含する。特定の実施例では、本方法は、
閉塞体を弁座に取着することと、
閉塞体を弁の中に引っ張りながら、弁座を弁から引っ張ることと、
弁座を閉塞体から着脱することと、
新しい弁座を閉塞体に取着することと、
閉塞体を弁から押勢しながら、新しい弁座を弁の中に挿入することと
を含む。
例えば、本願は以下の項目を提供する。
（項目１）
弁であって、
入口および出口を有する筐体と、
前記筐体内に、前記入口と前記出口との間に位置付けられた空洞であって、前記筐体内の第１の開口部は、前記空洞へのアクセスを提供する、空洞と、
前記空洞内に位置付けられ、前記筐体に密封係合する弁座であって、前記弁座は、前記第１の開口部を通して、前記空洞の中に挿入可能であり、前記空洞から取り外し可能である、弁座と、
前記弁座内に搭載された弁閉鎖部材であって、前記弁閉鎖部材は、開放位置と、前記弁座に密封係合する閉鎖位置との間で前記弁座に対して相対的に移動可能である、弁閉鎖部材と、
前記筐体上に搭載された第１のアクチュエータであって、前記第１のアクチュエータは、前記第１の開口部を通して前記空洞から前記弁座および前記弁閉鎖部材を取り外すために、前記弁座と係合可能である、第１のアクチュエータと
を備える、弁。
（項目２）
前記筐体上に搭載された第２のアクチュエータをさらに備え、前記第２のアクチュエータは、前記開放位置と前記閉鎖位置との間で前記弁閉鎖部材を移動させるために、前記弁閉鎖部材と係合されている、項目１に記載の弁。
（項目３）
前記弁閉鎖部材は、前記弁座内に回転可能に搭載された本体を備え、前記本体は、前記開放位置と前記閉鎖位置との間で回転可能に移動可能である、項目２に記載の弁。
（項目４）
前記弁閉鎖部材は、円板を備える、項目３に記載の弁。
（項目５）
前記第１のアクチュエータは、前記開放位置と前記閉鎖位置との間で前記弁閉鎖部材を移動させるために、前記弁座から分離して前記弁閉鎖部材と係合可能である、項目１に記載の弁。
（項目６）
前記弁閉鎖部材は、前記弁座内に摺動可能に搭載されたゲートを備え、前記ゲートは、前記開放位置と前記閉鎖位置との間で摺動可能に移動可能である、項目５に記載の弁。
（項目７）
前記ゲートは、前記第１のアクチュエータに枢動可能に取着されている、項目６に記載の弁。
（項目８）
前記ゲートは、前記第１のアクチュエータに摺動自在に取着されている、項目６に記載の弁。
（項目９）
前記空洞は、前記筐体内に位置付けられた第１の壁および第２の壁によって画定され、前記第１の壁および前記第２の壁は、前記入口から前記出口まで延在する流動軸に対して横方向に配向され、前記第１の壁および前記第２の壁は、相互に対して離間関係であり、各前記壁は、前記弁座に向かって対面し、かつ前記弁座と密封係合された表面を有する、項目１に記載の弁。
（項目１０）
前記弁座は、相互に対して対面関係に位置付けられ、それらの間にスロットを画定する、第１の密封表面および第２の密封表面を備え、
前記弁閉鎖部材は、前記開放位置と前記閉鎖位置との間で前記スロット内を摺動可能に移動可能であるゲートを備え、前記ゲートは、前記流動軸に対して横方向に配向され、第１の対向配置表面および第２の対向配置表面を有し、前記第１の対向配置表面および前記第２の対向配置表面は、それぞれ、前記弁座の第１の密封表面および第２の密封表面に密封係合する、項目９に記載の弁。
（項目１１）
前記弁座を前記ゲートに保定するために、前記ゲートに取着可能であるストラップをさらに備え、それによって、前記弁座を前記アクチュエータに取着し、前記空洞から前記弁座の取り外しを促進する、項目１０に記載の弁。
（項目１２）
前記第１のアクチュエータは、ねじジャッキを備える、項目１１に記載の弁。
（項目１３）
前記筐体は、前記第１の開口部を画定する第１の区画と、前記第１の区画に取着された第２の区画とを備え、前記第１の区画および前記第２の区画は、端部間で相互に取着され、前記入口および前記出口と、前記入口と前記出口との間に延在する流動軸とを画定する、項目１に記載の弁。
（項目１４）
前記第１の区画および前記第２の区画のそれぞれは、前記区画の対向側に位置付けられている、第１の弓状突出部および第２の弓状突出部を備え、前記第１の弓状突出部および前記第２の弓状突出部は、前記流動軸を囲繞し、そこに向かって半径方向に延在する、項目１３に記載の弁。
（項目１５）
前記第１の区画および前記第２の区画のそれぞれは、それらの対向端部から外向きに突出する第１のつまみおよび第２のつまみを備え、前記つまみは、それぞれ、相互に前記区画を取着するための留め具を受容するための少なくとも１つの孔を有する、項目１３に記載の弁。
（項目１６）
前記第１の区画および前記第２の区画のそれぞれは、
前記区画の対向側に位置付けられた第１の溝および第２の溝であって、前記溝のそれぞれは、前記流動軸に対面する、第１の溝および第２の溝と、
それぞれ、前記第１の溝および前記第２の溝内に位置付けられた第１のガスケットおよび第２のガスケットと
を備える、項目１５に記載の弁。
（項目１７）
前記第１の溝および前記第２の溝は、前記第１の区画の第１のつまみおよび前記第２の区画の第２のつまみの界面表面にわたって延在し、前記第１のガスケットおよび前記第２のガスケットは、前記第１のつまみおよび前記第２のつまみ内において前記第１の溝および前記第２の溝に沿って延在する、項目１６に記載の弁。
（項目１８）
前記入口は、内径を有し、
前記弁座は、前記入口の内径を下回る内径を有する開口を画定し、それによって、前記入口に対面する密封表面を画定する、項目１３に記載の弁。
（項目１９）
前記密封表面は、前記入口に向かって延在する少なくとも１つの突出部を備える、項目１８に記載の弁。
（項目２０）
前記出口は、内径を有し、
前記弁座は、前記出口の内径を下回る内径を有する開口を画定し、それによって、前記出口に対面する密封表面を画定する、項目１３に記載の弁。
（項目２１）
前記密封表面は、前記出口に向かって延在する少なくとも１つの突出部を備える、項目２０に記載の弁。
（項目２２）
前記空洞へのアクセスを提供する、前記筐体内の第２の開口部をさらに備える、項目１に記載の弁。
（項目２３）
前記第２の開口部は、前記第１の開口部に対向して位置付けられている、項目２２に記載の弁。
（項目２４）
前記弁座に取着可能である密封体をさらに備え、前記密封体は、前記第１の開口部を通した前記弁座の取り外しに応じて、前記第２の開口部を通して前記空洞の中で移動可能である、項目２２に記載の弁。
（項目２５）
前記密封体は、相互から対向配置され、かつ前記筐体と密封係合可能である、第１の密封表面および第２の密封表面を備える、項目２２に記載の弁。
（項目２６）
前記密封体は、相互に取り外し可能に取着可能である複数の部分を備える、項目２４に記載の弁。
（項目２７）
前記密封体は、長方形ブロックを備える、項目２４に記載の弁。
（項目２８）
前記弁座は、相互に取着可能である複数の独立片部を備える、項目１に記載の弁。
（項目２９）
前記筐体上に搭載された枢動ヒンジをさらに備え、前記第１のアクチュエータは、前記枢動ヒンジ上に搭載され、前記筐体に対して相対的に前記枢動ヒンジの上で枢動可能に移動可能である、項目１に記載の弁。
（項目３０）
弁であって、
入口および出口を有する筐体であって、前記筐体は、第１の区画および第２の区画を備え、前記第１の区画および前記第２の区画は、端部間で相互に取着され、前記入口および前記出口と、前記入口と前記出口との間に延在する流動軸とを画定する、筐体と、
前記筐体内に、前記入口と前記出口との間に位置付けられた空洞であって、第１の開口部が、前記第１の区画内に位置付けられ、第２の開口部が、前記第２の区画内に位置付けられ、前記第１の開口部および前記第２の開口部は、前記空洞へのアクセスを提供する、空洞と、
前記空洞内に位置付けられ、前記筐体に密封係合する弁座であって、前記弁座は、前記第１の開口部および前記第２の開口部のうちの１つを通して、前記空洞の中に挿入可能であり、前記空洞から取り外し可能である、弁座と、
前記弁座内に搭載された弁閉鎖部材であって、前記弁閉鎖部材は、開放位置と、前記弁座に密封係合する閉鎖位置との間で前記弁座に対して相対的に移動可能である、弁閉鎖部材と、
前記筐体上に搭載された第１のアクチュエータであって、前記第１のアクチュエータは、前記第１の開口部および前記第２の開口部のうちの１つを通して、前記弁座および前記弁閉鎖部材を前記空洞の中に挿入し、前記弁座および前記弁閉鎖部材を前記空洞から取り外すために、前記弁座と係合可能である、第１のアクチュエータと
を備える、弁。
（項目３１）
前記第１の区画および前記第２の区画のそれぞれは、それらの対向端部から外向きに突出する第１のつまみおよび第２のつまみを備え、前記つまみは、それぞれ、相互に前記区画を取着するための留め具を受容するための少なくとも１つの孔を有する、項目３０に記載の弁。
（項目３２）
前記第１の区画および前記第２の区画のそれぞれは、前記区画の対向側に位置付けられた第１の弓状突出部および第２の弓状突出部を備え、前記第１の弓状突出部および前記第２の弓状突出部は、前記流動軸を囲繞し、そこに向かって半径方向に延在する、項目３０に記載の弁。
（項目３３）
前記第１の区画および前記第２の区画のそれぞれは、
前記区画の対向側に位置付けられた第１の溝および第２の溝であって、前記溝のそれぞれは、前記流動軸に対面する、第１の溝および第２の溝と、
それぞれ、前記第１の溝および前記第２の溝内に位置付けられた第１のガスケットおよび第２のガスケットと
を備える、項目３０に記載の弁。
（項目３４）
前記第２の開口部は、前記第１の開口部に対向して位置付けられている、項目３０に記載の弁。
（項目３５）
前記ゲートは、前記第１のアクチュエータに枢動可能に取着されている、項目３０に記載の弁。
（項目３６）
前記筐体上に搭載された第２のアクチュエータをさらに備え、前記第２のアクチュエータは、前記開放位置と前記閉鎖位置との間で前記弁閉鎖部材を移動させるために、前記弁閉鎖部材と係合されている、項目３０に記載の弁。
（項目３７）
前記弁閉鎖部材は、前記弁座内に回転可能に搭載された本体を備え、前記本体は、前記開放位置と前記閉鎖位置との間で回転可能に移動可能である、項目３６に記載の弁。
（項目３８）
前記弁閉鎖部材は、円板を備える、項目３７に記載の弁。
（項目３９）
前記第１のアクチュエータは、前記開放位置と前記閉鎖位置との間で前記弁閉鎖部材を移動させるために、前記弁座から分離して前記弁閉鎖部材と係合可能である、項目３０に記載の弁。
（項目４０）
前記弁閉鎖部材は、前記弁座内に摺動可能に搭載されたゲートを備え、前記ゲートは、前記開放位置と前記閉鎖位置との間で摺動可能に移動可能である、項目３９に記載の弁。
（項目４１）
前記弁座に取着可能である密封体をさらに備え、前記密封体は、前記第１の開口部を通した前記弁座の取り外しに応じて、前記第２の開口部を通して前記空洞の中で移動可能である、項目３０に記載の弁。
（項目４２）
前記密封体は、相互から対向配置され、かつ前記筐体と密封係合可能である、第１の密封表面および第２の密封表面を備える、項目４１に記載の弁。
（項目４３）
前記密封体は、相互に取り外し可能に取着可能である複数の部分を備える、項目４１に記載の弁。
（項目４４）
前記密封体は、長方形ブロックを備える、項目４１に記載の弁。
（項目４５）
前記弁座は、相互に取着可能である複数の独立片部を備える、項目３０に記載の弁。
（項目４６）
前記筐体上に搭載された枢動ヒンジをさらに備え、前記第１のアクチュエータは、前記枢動ヒンジ上に搭載され、前記筐体に対して相対的に前記枢動ヒンジの上で枢動可能に移動可能である、項目３０に記載の弁。
（項目４７）
弁であって、
入口および出口を有する筐体であって、前記筐体は、第１の区画および第２の区画を備え、前記第１の区画および前記第２の区画は、端部間で相互に取着され、前記入口および前記出口と、前記入口と前記出口との間に延在する流動軸とを画定する、筐体と、
前記筐体内に、前記入口と前記出口との間に位置付けられた空洞であって、第１の開口部が、前記第１の区画内に位置付けられ、前記空洞へのアクセスを提供する、空洞と、
前記空洞内に位置付けられ、前記筐体に密封係合する弁座であって、前記弁座は、前記第１の区画内に位置付けられた第１の片部と、前記第２の区画内に位置付けられた第２の片部とを備え、前記弁座の第１の片部は、前記第１の開口部を通して、前記空洞の中に挿入可能であり、前記空洞から取り外し可能である、弁座と、
前記弁座内に搭載された弁閉鎖部材であって、前記弁閉鎖部材は、開放位置と、前記弁座に密封係合する閉鎖位置との間で前記弁座に対して相対的に移動可能である、弁閉鎖部材と、
前記筐体上に搭載された第１のアクチュエータであって、前記第１のアクチュエータは、前記第１の開口部を通して、前記弁座の第１の片部および前記弁閉鎖部材を前記空洞の中に挿入し、前記弁座の第１の片部および前記弁閉鎖部材を前記空洞から取り外すために、前記弁座の第１の片部と係合可能である、第１のアクチュエータと
を備える、弁。
（項目４８）
前記空洞は、前記筐体内に位置付けられた第１の壁および第２の壁によって画定され、前記第１の壁および前記第２の壁は、前記入口から前記出口まで延在する流動軸に対して横方向に配向され、前記第１の壁および第２の壁は、相互に対して離間関係であり、各前記壁は、前記弁座に向かって対面し、かつ前記弁座と密封係合された表面を有する、項目４７に記載の弁。
（項目４９）
前記弁座の第１の片部は、相互に対して対面関係に位置付けられ、それらの間にスロットを画定する、第１の密封表面および第２の密封表面を備え、
前記弁閉鎖部材は、前記開放位置と閉鎖位置との間で前記スロット内を摺動可能に移動可能であるゲートを備え、前記ゲートは、前記流動軸に対して横方向に配向され、それぞれ、前記弁座の第１の片部の第１の密封表面および第２の密封表面に密封係合する、第１の対向配置表面および第２の対向配置表面を有する、項目４８に記載の弁。
（項目５０）
前記弁座を前記ゲートに保定するために、前記ゲートに取着可能であるストラップをさらに備え、それによって、前記弁座を前記アクチュエータに取着し、前記空洞から前記弁座の取り外しを促進する、項目４９に記載の弁。
（項目５１）
前記第１の区画および前記第２の区画のそれぞれは、それらの対向端部から外向きに突出する第１のつまみおよび第２のつまみを備え、前記つまみは、それぞれ、相互に前記区画を取着するための留め具を受容するための少なくとも１つの孔を有する、項目４７に記載の弁。
（項目５２）
前記第１の区画および前記第２の区画のそれぞれは、前記区画の対向側に位置付けられた第１の弓状突出部および第２の弓状突出部を備え、前記第１の弓状突出部および前記第２の弓状突出部は、前記流動軸を囲繞し、そこに向かって半径方向に延在する、項目４７に記載の弁。
（項目５３）
前記第１の区画および前記第２の区画のそれぞれは、
前記区画の対向側に位置付けられた第１の溝および第２の溝であって、前記溝のそれぞれは、前記流動軸に対面する、第１の溝および第２の溝と、
それぞれ、前記第１の溝および前記第２の溝内に位置付けられた第１のガスケットおよび第２のガスケットと
を備える、項目４７に記載の弁。
（項目５４）
前記入口は、内径を有し、
前記弁座の第１の片部は、前記入口の内径を下回る内径を有する開口を画定し、それによって、前記入口に対面する密封表面を画定する、項目４７に記載の弁。
（項目５５）
前記密封表面は、前記入口に向かって延在する少なくとも１つの突出部を備える、項目５４に記載の弁。
（項目５６）
前記出口は、内径を有し、
前記弁座の第１の片部は、前記出口の内径を下回る内径を有する開口を画定し、それによって、前記出口に対面する密封表面を画定する、項目４７に記載の弁。
（項目５７）
前記密封表面は、前記出口に向かって延在する少なくとも１つの突出部を備える、項目５６に記載の弁。
（項目５８）
前記第１のアクチュエータは、ねじジャッキを備える、項目４７に記載の弁。
（項目５９）
弁座を弁から取り外す方法であって、前記弁は、前記弁座に係合する閉鎖部材と、前記弁閉鎖部材に係合するアクチュエータとを有し、前記方法は、
前記弁座を前記弁閉鎖部材に取着することと、
前記弁閉鎖部材に係合する前記アクチュエータを使用して、前記弁座と前記弁閉鎖部材との両方を前記弁から引っ張ることと
を含む、方法。
（項目６０）
弁内の弁座を交換する方法であって、前記弁は、前記弁座と係合可能である閉鎖部材と、前記弁閉鎖部材に係合するアクチュエータとを有し、前記方法は、
前記弁座を前記閉鎖部材と係合させることと、
前記弁閉鎖部材に係合する前記アクチュエータを使用して、前記弁座と前記弁閉鎖部材との両方を前記弁の中に移動させることと
を含む、方法。
（項目６１）
閉塞体を使用して、弁内の弁座を交換する方法であって、前記方法は、
前記閉塞体を前記弁座に取着することと、
前記閉塞体を前記弁の中に引っ張りながら、前記弁座を前記弁から引っ張ることと、
前記弁座を前記閉塞体から着脱することと、
新しい弁座を前記閉塞体に取着することと、
前記閉塞体を前記弁から押勢しながら、前記新しい弁座を前記弁の中に挿入することと
を含む、方法。
【図面の簡単な説明】
【００３０】
【図１】図１は、本発明による、例示的弁実施形態の等角図を示す。
【図２】図２および３は、図１に示される弁の一部の縦断面図を示す。
【図２Ａ】図２Ａおよび２Ｂは、分離して、図１の弁の部分を示す。
【図２Ｂ】図２Ａおよび２Ｂは、分離して、図１の弁の部分を示す。
【図３】図２および３は、図１に示される弁の一部の縦断面図を示す。
【図４】図４は、図２の線４−４に沿った断面図を示す。
【図５】図５および６は、本発明による、弁の部分の例示的実施形態を示す、等角図である。
【図６】図５および６は、本発明による、弁の部分の例示的実施形態を示す、等角図である。
【図７】図７−９は、本発明による、弁座を交換する例示的方法を例証する、部分断面等角図である。
【図８】図７−９は、本発明による、弁座を交換する例示的方法を例証する、部分断面等角図である。
【図９】図７−９は、本発明による、弁座を交換する例示的方法を例証する、部分断面等角図である。
【図１０】図１０は、本発明による、弁座の例示的実施形態の部分等角断面図である。
【図１１】図１１は、本発明による、弁座および弁閉鎖部材の例示的実施形態の部分等角断面図である。
【発明を実施するための形態】
【００３１】
（詳細な説明）
図１は、本発明による、弁１０の例示的実施形態を示す。弁１０は、入口１４および出口１６を有する筐体１２を備える。筐体１２は、ダクタイル鉄、鋳鉄、または鋼鉄等の金属、繊維ガラス等の複合材、およびＰＶＣ（ポリ塩化ビニル）等のポリマーから形成されてもよい。筐体１２は、端部間で相互に取着される、第１の区画１８および第２の区画２０を備え、それによって、入口１４、出口１６、およびそれらの間に延在する流動軸２２を画定する。本例示的実施形態では、区画１８および２０は、それぞれ、相互に区画を取着するための留め具２８を受容する１つ以上の整合孔２６を有する、突出つまみ２４を有する。溝付きパイプ要素（図２参照）を接続するために使用されるとき、区画は、区画１８および２０の対向側３２および３４に位置付けられる、弓状突出部３０（また、「キー」として既知である）を有するであろう。弓状突出部３０は、流動軸２２を囲繞し、かつそれに対面し、それに向かって半径方向に延在し、それらが、パイプ要素内の円周溝に係合し、機械的係合を提供し、パイプ要素を弁１０に保定することを可能にする。
【００３２】
図２に示されるように、空洞３６が、筐体１２内に、入口１４と出口１６との間に位置付けられる。第１の区画１８内の第１の開口部３８が、空洞３６へのアクセスを提供する。弁座４０が、空洞３６内に位置付けられる。弁座４０は、有利には、ゴム化合物またはウレタン等の弾力性かつ可撓性の材料から形成されてもよい。弁座は、開口部３８を通して空洞３６の中に挿入可能であり、筐体に密封係合する。本例示的実施形態では、弁座４０と筐体１２との間の密封係合は、それぞれ、第１の筐体壁４６および第２の筐体壁４８に係合する、弁座の対向対面表面４２と対向対面表面４４との間の接触を通してもたらされる。壁４６および４８は、流動軸２２に対して横方向に配向され、空洞３６を画定するために、相互から離間関係にある。空洞３６の中への挿入に応じて、弁座４０は、係合表面にシールをもたらすように壁４６と壁４８との間で圧縮される。弁座４０と筐体１２との間の均一圧縮、ひいては、流密シールを確実にするために、表面４２および４４上に突出部５０を位置付けることが有益となり得ることに留意されたい。
【００３３】
入口１４および出口１６は、それぞれ、弁座によって画定される開口５２と実質的に整合される、それぞれの内径１４ａおよび１６ａを有する。ともに、入口１４、出口１６、および開口５２は、弁１０を通して、流動軸２２を画定する。示される実施例では、弁座４０の開口５２は、入口１４および出口１６のそれぞれの内径１４ａおよび１６ａ未満である、内径５２ａを有する。直径のこの差異は、２つ軸密封表面、すなわち、入口１４に対面する密封表面５４と、出口１６に対面する密封表面５６とを作る。図２および３に示されるように、軸密封表面５４および５６は、弁１０によって継合されるパイプ要素５８および６０の端部に係合する。パイプ要素５８および６０の端部と軸密封表面５４および５６との間の圧縮は、弓状突出部３０およびパイプ要素の円周溝６２の位置によってもたらされる。それぞれ、密封表面５４および５６上に位置付けられ、それぞれ、入口１４および出口１６に向かって延在する、軸突出部６４は、パイプ要素５８および６０と弁座４０との間で均一シールを確実にするために、使用されてもよい。パイプ要素５８および６０と筐体との間の付加的または代替密封は、区画１８および２０内のそれぞれの溝６８および７０内に位置付けられるガスケット６６によってもたらされ得る。溝６８および７０は、区画の対向側３２および３４に位置付けられ、流動軸２２に対面する。ガスケット６６は、区画およびパイプ要素に係合し、それらの間に流密シールをもたらす。図２Ａ、２Ｂ、および４に示されるように、溝６８および７０ならびにガスケット６６はまた、つまみ２４の界面表面２４ａおよび２４ｂに沿って延在してもよい。このシール構成は、シール６６が、どのように相互に係合し、完全密封境界を形成し、区画１８と２０との間の任意の潜在的な漏れ経路を排除するかを実証するために、分離して、図２Ｂに示される。
【００３４】
図３に示されるように、弁座４０は、対面関係において相互から離間して配列され、スロット７６を画定する、第１の密封表面７２および第２の密封表面７４を備える。ゲート７８の形態の弁閉鎖部材が、ゲート７８が密封表面７２および７４に密封係合し、開口５２を通した流動を妨害する、閉鎖位置（図２に示される）と、入口１４と出口１６との間の流動を可能にする、開放位置（図３に示される）との間で、スロット７６内を摺動可能に移動可能である。ゲート７８は、金属、例えば、鋼鉄、ならびに繊維ガラス等の複合材、ならびにＨＤＰＥ（高密度ポリエチレン）等のポリマーから作製されてもよい。ゲート７８は、閉鎖位置にあるとき、密封表面７２および７４と圧縮係合にある。ゲート７８と弁座４０との間の均一密封を確実にするために、表面７２および７４上に円周突出部８０を位置付けることが有益となる。
【００３５】
ゲート７８の移動は、アクチュエータ（本実施例では、筐体１２の第１の区画１８上に搭載された弁棒上昇式ねじジャッキ８２（図１参照））によってもたらされる。空気圧式アクチュエータ、油圧式アクチュエータ、および電気式アクチュエータ等の他のタイプのアクチュエータもまた、実現可能である。ねじジャッキ８２のシャフトは、弁座４０から分離してゲート７８に係合し、ねじジャッキの作動車輪の回転が、ねじジャッキシャフトを移動させ、これは、図２および３に示されるように、開放位置と閉鎖位置との間で弁座４０のゲートをスロット７６内で移動させる。弁座４０は、有利には、筐体１２に取り外し可能に締結されるリテーナプレート８４によって、空洞３６内に保持され、そうでなければ、ゲート７８と密封表面７２および７４（図３参照）との間の相当量の摩擦が、ゲート７８が筐体１２から離れるように引っ張られると、弁座４０を空洞から取り外す場合がある。しかしながら、アクチュエータ（ねじジャッキ８２）は、弁閉鎖部材（ゲート７８）と弁座４０との両方と係合され、ゲートと弁座との両方を空洞３６から意図的に取り外してもよい。これは、弁１０をパイプ要素５８および６０からを取り外さずに、摩耗された弁座の敏速な交換を可能にする。弁座交換は、弁座４０が開口部３８を通して区画１８内を移動することを可能にするように、リテーナプレート８４を取り外すことによってもたらされ得る。代わりに、ゲート７８をスロット７６から抜去するねじジャッキ８２の作動は、ゲートと弁座との間の摩擦が弁座と筐体１２との間の摩擦を上回ることを前提として、弁座４０を空洞３６から取り外し得る。しかしながら、所望されるような取り外しを確実にするために、アクチュエータ８２と弁座４０との間に機械的係合をもたらすことが有益となる。この目的を達成するために、図１および４に示されるように、ストラップ８６が、空洞３６内の弁座４０を囲繞するように位置付けられる。ストラップ８６は、弁座４０が、アクチュエータを使用して、ゲート７８とともに空洞３６から抜去されることを可能にする機械的係合を提供するために、例えば、ボルト８８を使用して、ゲート７８に取着されてもよい。図５に示されるように、さらに、弁座交換を促進するために、アクチュエータ（ねじジャッキ８２）は、敏速なアクセスのためのゲート７８および弁座４０の枢動運動を可能にするために、枢動ヒンジ９０上に搭載されてもよい。次いで、摩耗された弁座４０は、ストラップ８６のボルトを外し、ゲートから摩耗された弁座を摺動させ、ゲート上に新しい弁座を摺動させ、ストラップ８６をゲートにボルト締めし、枢動ヒンジ９０上のねじジャッキ８２を回転し、ゲートおよび弁座を開口部３８と整合させ（図２および３参照）、次いで、ねじジャッキを使用して、新しい弁座を空洞３６の中に押勢することによってゲート７８から取り外されてもよい。いったん弁座が、空洞３６内に適切に着座されると、ボルト８８は、取り外されてもよく、リテーナプレート８４は、区画１８に再取着されてもよい。図６に示される、別の実施形態では、ゲート７８は、アクチュエータ（本実施例では、ねじジャッキ８２）に枢動可能に取着されてもよい。さらに別の実施形態は、図１に示され、ゲート７８は、ゲート７８と弁座４０との両方が、空洞３６から引っ張られるとき、アセンブリとして取り外されることを可能にする「Ｔ型」結合部９２を使用して、アクチュエータ（ねじジャッキ８２）に摺動自在に取着される。アセンブリは、流動軸２２に対して垂直な軸に沿って摺動し、摩耗された弁座の迅速かつ便宜的な交換を可能にする。
【００３６】
図７に示される、別の弁９４の実施形態では、摩耗された弁座４０の交換はさらに、密封体９６の使用を通して促進される。密封体９６は、弁９４への流体流動を遮断せずに、弁座４０の交換を可能にする。弁９４は、第１の開口部３８に対向して第２の区画２０内に位置付けられる、第２の開口部９８を有する。第２の開口部９８は、空洞３６へのアクセスを提供し、密封体９６が、弁座４０に取り外し可能に取着されることを可能にする。本例示的実施形態では、密封体９６は、対向配置密封表面１０２および１０４を有する長方形ブロック１００を備える。図８に示されるように、密封体９６が弁座４０に一時的に取着されるとき、および弁座が第１の区画１８内の開口部３８を通してアクチュエータ８２によって空洞３６から出て引っ張られるとき、密封体９８は、第２の区画２０内の第２の開口部９８を通して空洞３６の中に引っ張られる。ブロック１００の密封表面１０２および１０４は、筐体１２（すなわち、壁４６および４８）に密封係合し、それによって、弁９４を閉鎖する。次いで、弁座４０は、密封体９６から解放され、弁座４０を密封体９６に取着する付加的ステップを用いて、上記に説明されるように交換されてもよい。新しい弁座４０が区画１８内の開口部３８を通して空洞３６の中に挿入されるとき、密封体９６（本実施例では、ブロック１００）は、区画２０内の開口部９８を通して空洞から出るように押勢される。次いで、密封体は、新しい弁座４０から係脱されてもよい。密封体９８への弁座４０の一時的取着が、例えば、相互係合部品、整合孔およびピン、ばね付勢戻り止め、または蟻継手の接触表面の摩擦を通して、もたらされ得る。また、図９に示されるような密封体９６が相互に取り外し可能に取着可能である複数の相互係止部分１０６を備える場合、有益となり得る。これは、密封体が、一度に、一部だけ、組み立てられ、かつ空洞３６の中に引っ張られることを可能にし、例えば、空間が実物サイズのブロック１００を収容させるために利用可能ではないとき、有用である。部分１０６は、示されるような蟻継手を使用して、またはいくつかの実施例を引用すると、相互係合部品、ばね付勢戻り止め、および整合孔およびピンの接触表面の摩擦を使用して、相互に一時的に継合されてもよい。
【００３７】
図１０に示されるように、弁座１０８が、相互に協働する複数の独立片部から形成されることができる。本実施例では、弁座１０８は、弁座４０（図２参照）および弁実施形態９４（図７参照）の代わりに、例示的弁実施形態１０の空洞３６内に位置付け可能である、第１の片部１１０および第２の片部１１２を備える。第１の片部１１０および第２の片部１１２は、相互から対向配置され、筐体１２と密封係合可能である、第１の密封表面１１４および第２の密封表面および１１６を備える。第１の片部１１０および第２の片部１１２はさらに、相互に対して対面関係に位置付けられ、それらの間にスロット１２２を画定する、密封表面１１８および１２０を備える。スロットは、密封関係において、ゲート７８を受容する。
【００３８】
示される例示的実施形態は、ゲート弁に関係するが、本発明はまた、他のタイプの弁にも適用可能である。図１１に示されるように、本体１２４が、弁座１２６内に回転可能に搭載され、本体は、開放位置と、弁座１２６に密封係合する閉鎖位置との間で、軸１２８を中心に回転可能である。本実施例では、弁閉鎖部材は、周知の「バタフライ」弁の特徴を示す、円板１３０を備える。上記に説明される弁座４０のように、弁座１２６は、円板１３０が閉鎖位置にあるとき、上記に説明されるような開口部３８（図２参照）を通して筐体１２（図１参照）の空洞３６の中に挿入され、そこから取り外されることができる。弁閉鎖部材が、軸１２８を中心とする回転によって作動されるため、弁座１２６を筐体から引っ張るために使用されるアクチュエータ（ねじジャッキ８２）がまた、弁を作動させるためには使用されることができない。したがって、第２のアクチュエータ（例えば、ハンドレバー１３２）が、円板１３０を回転させるために筐体上に搭載される。単純ハンドレバーが示されるが、第２のアクチュエータは、電動歯車列または電力作動の他の形態であり得る。
【図１】
2020094696.tif 000003
【図２】
2020094696.tif 000004
【図２Ａ】
2020094696.tif 000005
【図２Ｂ】
2020094696.tif 000006
【図３】
2020094696.tif 000007
【図４】
2020094696.tif 000008
【図５】
2020094696.tif 000009
【図６】
2020094696.tif 000010
【図７】
2020094696.tif 000011
【図８】
2020094696.tif 000012
【図９】
2020094696.tif 000013
【図１０】
2020094696.tif 000014
【図１１】
2020094696.tif 000015
【外国語明細書】
2020094696000001.pdf